(57)【要約】【課題】発光ダイオードライトバーを容易に保守または交換できること。【解決手段】ベースと、該ベースの一面に平行に設置されるプリント基板と、該プリント基板の該ベースとの反対面に溶接される少なくとも一つの発光ダイオードと、該ベース及び該プリント基板の両端に設置される二つの端子と、を備える発光ダイオードライトバー。【選択図】図３
0003163752.tif 000002
【実用新案登録請求の範囲】
【請求項１】
ベースと、
前記ベースの一面に平行に設置されるとともに、両端に二つの導電性端部がそれぞれ突設されるプリント基板と、
前記プリント基板の前記ベースとの反対面に溶接されるとともに、前記プリント基板に電気的に接続される少なくとも一つの発光ダイオードと、
前記ベース及びプリント基板の両端に設置されるとともに、前記プリント基板の導電性端部に電気的に接続される二つの端子と、
を備える発光ダイオードライトバー。
【請求項２】
反射空間が凹設される白反射面と、前記白反射面の両端にそれぞれ設置されるとともに前記反射空間に接続される二つの支持台と、前記二つの支持台の前記反射空間に接続される面にそれぞれ設置される二つの端子台と、を備える照明台座と、
前記白反射面の反射空間内に設置されるベースと、前記ベースの前記白反射面に臨む面に平行に設置されるとともに両端に二つの導電性端部がそれぞれ突設されるプリント基板と、前記プリント基板の前記白反射面に臨む面に溶接されるとともに前記プリント基板に電気的に接続される少なくとも一つの発光ダイオードと、一端が前記プリント基板及びベースの両端に設置されて前記導電性端部と電気的接続を形成し、他端が前記照明台座の二つの端子台に回動可能に設置されて電気的接続を形成する二つの端子と、を備え、両端が前記二つの端子台に回動可能に設置されて電気的接続を形成する発光ダイオードライトバーと、
を備える発光ダイオードライトバーの照明モジュール。
【請求項３】
各端子台は、
前記二つの支持台の前記反射空間に接続される面に設置され、前記反射空間と接続される面において回動空間及び前記回動空間と前記回動空間の外部とを貫通する嵌め込み溝が凹設される固定素子と、
前記固定素子の回動空間内に設置されるとともに、前記回動空間内で回転でき、前記反射空間と接続される面において前記固定素子の嵌め込み溝と対向する転入溝が凹設される回動素子と、
をさらに備える請求項２に記載の発光ダイオードライトバーの照明モジュール。
【請求項４】
各端子は、前記プリント基板及びベースの一端に当接する底壁と、前記底壁の一面に突設される側壁と、前記底壁の他面に貫設される二つの導電性チューブとを有し、前記側壁は、前記プリント基板及びベースの一端にリング状で外嵌され、各導電性チューブは、前記プリント基板の導電性端部に外嵌される請求項１に記載の発光ダイオードライトバー。
【請求項５】
前記ベースには、複数のベース放熱穴が貫設されている請求項１に記載の発光ダイオードライトバー。
【請求項６】
前記プリント基板には、前記複数のベース放熱穴に対する複数のプリント基板放熱穴が貫設されている請求項５に記載の発光ダイオードライトバー。
【請求項７】
各端子は、前記プリント基板及びベースの一端に当接する底壁と、前記底壁の一面に突設される側壁と、前記底壁の他面に貫設される二つの導電性チューブとを有し、前記側壁は、前記プリント基板及びベースの一端にリング状で外嵌され、各導電性チューブは、前記プリント基板の導電性端部に外嵌される請求項２に記載の発光ダイオードライトバーの照明モジュール。
【請求項８】
前記ベースには、複数のベース放熱穴が貫設されている請求項２に記載の発光ダイオードライトバーの照明モジュール。
【請求項９】
前記プリント基板には、前記複数のベース放熱穴に対する複数のプリント基板放熱穴が貫設されている請求項８に記載の発光ダイオードライトバーの照明モジュール。
【請求項１０】
前記ベースは、アルミニウムの金属で構成されている請求項１に記載の発光ダイオードライトバー。
【考案の詳細な説明】
【技術分野】
【０００１】
本考案は、発光ダイオードライトバー及びその照明モジュールに関し、特に、容易に照明台座から着脱してライトバーの保守および交換を行うことができる発光ダイオードライトバー、および、該発光ダイオードライトバーが取り付けられる照明モジュールに関する。
【背景技術】
【０００２】
発光ダイオードは、固形の半導体素子であり、電子の正孔のお互いの配合によりエネルギーを光として放出する。発光ダイオードは、冷光を発光するものであり、体積が小さく、反応速度が速く、寿命が長く、消費電力が低く、耐震性が良いという特性を有している。更に、発光ダイオードは、水銀フリー、無汚染、および部品の再利用が可能であるという利点があり、現在の環境保護および省エネ・低炭素に対する意識が高まる社会では、白熱灯の代わりに、人気が最も高い発光素子になっていた。
【０００３】
しかしながら、発光ダイオードが発光する光線は点状の光であるので、照射面積が小さいという不利点に加えて、面状の光に比べると、人間の両眼が直視するのに不利であり、両眼が傷つきやすい。そのため、市販の発光ダイオードの照明モジュールでは、発光ダイオードに反射素子または散乱素子を搭載して、該発光ダイオードが発光する点状の光線を該反射素子または散乱素子に照射させることにより、該発光ダイオードが発光する点状の光線を均一に分散させて面状の光線を形成し、これにより、人間の両眼に易しい光が形成されるとともに、照射の面積も向上される。
【０００４】
周知の発光ダイオードの照明モジュールとしては、米国の特許第６８７１９９３号のように、焦点エリアを有する集束用反射面である反射鏡と、該焦点エリアに設置され、その一面に複数の放熱フィンが突設されるベースおよび該ベースの他方の面に設置される複数の発光ダイオードを有し、また、該複数の発光ダイオードが該反射鏡の焦点エリア内に設置されるとともに該反射鏡に臨むように配置される発光ダイオードアレーと、を備える机械システム用の発光ダイオード照明システムが開示されている。更に、上記発明では、二つのサポータにより該ベースの両端に固設されることも開示されている。
【０００５】
上記発明において、該複数の発光ダイオードは該反射鏡の焦点エリア内に設置されるので、光学上の光程の可逆性から分かるように、該反射鏡の焦点エリア内から放射する光線は、該反射鏡に照射してから、平行な光線が出射される。そのため、上記発明では該複数の発光ダイオードから出射する点状の光を反射させることにより、面状の光に集光でき、ユーザーに易しい且つ照射範囲の広く光線を提供できる。
【０００６】
しかしながら、該ベースが該二つのサポータに固設されているので、該複数の発光ダイオードが故障して保守または交換する必要がある場合、ユーザーは照明システム全体を取り外してからその後の保守または交換動作を行えなければならないので、保守または交換の全体時間が長すぎになり、また、机械の原理を知らないユーザーにとって、このような形態では、該照明システムの再組み立ての失敗または破損を招かれやすく、ひいてはその発光機能が失うことに繋がる。
【考案の概要】
【考案が解決しようとする課題】
【０００７】
上記に鑑みて、本願の考案者及び当業者の鋭意研究の目的は、照明システム全体を取り外すことなく、保守または交換を簡単且つ容易に行える発光ダイオードライトバー、及び、該発光ダイオードライトバーが取り付けられる照明モジュールの研究・開発である。
【０００８】
本願の考案者は、周知の発光ダイオードの照明システムにおいて保守または交換に相当な時間がかかり、且つ再組み立ての失敗または部品のダメージ等の不良を招かれ易くことに鑑みて、その改良及び研究・開発に鋭意努力し、データの絶えざる収集および努力によって、遂に本考案に達した。
【０００９】
本考案の一つの目的は、容易に照明台座から着脱してライトバーの保守又は交換を行うことができる発光ダイオードライトバーを提供することにある。
【課題を解決するための手段】
【００１０】
上記目的を達成するために、本考案の発光ダイオードライトバーは、
ベースと、
該ベースの一面に平行に設置されるとともに、両端に二つの導電性端部がそれぞれ突設されるプリント基板と、
該プリント基板の該ベースとの反対面に溶接されるとともに、該プリント基板に電気的に接続される少なくとも一つの発光ダイオードと、
該ベース及びプリント基板の両端に設置されるとともに、該プリント基板の導電性端部に電気的に接続される二つの端子と、を備える。
【００１１】
本考案のもう一つの目的は、ライトバーの保守および交換が簡単且つ容易に行える発光ダイオードの照明モジュールを提供することにある。
【００１２】
上記目的を達成するために、本考案の発光ダイオードライトバーの照明モジュールは、
反射空間が凹設される白反射面と、該白反射面の両端にそれぞれ設置されるとともに該反射空間に接続される二つの支持台と、該二つの支持台の該反射空間に接続される面にそれぞれ設置される二つの端子台と、を備える照明台座と、
該白反射面の反射空間内に設置されるベースと、該ベースの該白反射面に臨む面に平行に設置されるとともに両端に二つの導電性端部がそれぞれ突設されるプリント基板と、該プリント基板の該白反射面に臨む面に溶接されるとともに該プリント基板に電気的に接続される少なくとも一つの発光ダイオードと、一端が該プリント基板及びベースの両端に設置されて該導電性端部と電気的接続を形成し、他端が該照明台座の二つの端子台に回動可能に設置されて電気的接続を形成する二つの端子と、を備え、両端が該二つの端子台に回動可能に設置されて電気的接続を形成する発光ダイオードライトバーと、を備える。
【考案の効果】
【００１３】
上記の構成によれば、該発光ダイオードライトバーの二つの端子が該照明台座の二つの端子台に対して回転できるので、該発光ダイオードライトバーが故障して保守・交換が必要になる場合、ユーザーは該発光ダイオードライトバーのベースを回動して該発光ダイオードの端子を回動する同時に、該端子台との取り付け関係を解除するだけでよい。上記形態によれば、発光ダイオードライトバーの照明モジュールの全体を取り外してから該発光ダイオードライトバーを保守または交換する必要がなくなり、該発光ダイオードライトバーを保守または交換する手順および手間の全体が低減されるとともに、机械の作業に馴染まないユーザーに該発光ダイオードライトバーを簡単に保守または交換する手段を提供することができる。
【図面の簡単な説明】
【００１４】
【図１】本考案に係る発光ダイオードライトバーの実施例の分解図である。
【図２】本考案に係る発光ダイオードライトバーの実施例の組合せ図である。
【図３】本考案に係る発光ダイオードライトバーの照明モジュールの実施例の分解図である。
【図４】本考案に係る発光ダイオードライトバーの照明モジュールの実施例の組合せ図である。
【図５】本考案に係る発光ダイオードライトバーの照明モジュールにおいて発光ダイオードライトバーを取り外す前の模式図である。
【図６】本考案に係る発光ダイオードライトバーの照明モジュールにおいて発光ダイオードライトバーを取り外す中の模式図である。
【図７】本考案に係る発光ダイオードライトバーの照明モジュールにおいて発光ダイオードライトバーを取り外した後の模式図である。
【考案を実施するための形態】
【００１５】
図１、２に示すように、本考案の実施例の発光ダイオードライトバー（１）は、
ベース（１１）と、
該ベース（１１）の一面に平行に設置されるとともに、両端に二つの導電性端部（１２１）がそれぞれ突設されるプリント基板（１２）と、
該プリント基板（１２）の該ベース（１１）との反対面に溶接され、該プリント基板（１２）に電気的に接続される少なくとも一つの発光ダイオード（１３）と、
該ベース（１１）及びプリント基板（１２）の両端に設置されるとともに、該プリント基板（１２）の導電性端部（１２１）に電気的に接続される二つの端子（１４）と、を備える。
【００１６】
上記構成において、該ベース（１１）は、アルミニウムの金属で構成する。なお、該ベース（１１）の該プリント基板（１２）に接続される面の両側には、該プリント基板（１２）を挿入して固定するために、二つのレール（１１１）が上方に向かって突設されている。また、該ベース（１１）の該プリント基板（１２）に接続される面には、さらに一層のアルミナ錯体を塗布してもよい。そして、該ベース（１１）の両端の近くには、複数のベースネジ穴（１１２）を貫設してもよい。最後に、該ベース（１１）に複数のベース放熱穴（１１３）を貫設してもよい。
【００１７】
また、該プリント基板（１２）の両端の近くには、該複数のベースネジ穴（１１２）に対する複数のプリント基板ネジ穴（１２２）が貫設されており、複数のネジ（１２３）を該複数のベースネジ穴（１１２）およびプリント基板ネジ穴（１２２）に貫通させることにより、該ベース（１１）とプリント基板（１２）とを固定する。そして、該プリント基板（１２）には、該発光ダイオード（１３）が発する高温を逃がすように、該複数のベース放熱穴（１１３）に対する複数のプリント基板放熱穴（１２４）を貫設してもよい。
【００１８】
さらに、各端子（１４）は、該プリント基板（１２）及びベース（１１）の一端に当接する底壁（１４１）と、該底壁（１４１）の一面に突設される側壁（１４２）と、該底壁（１４１）の他面に貫設される二つの導電性チューブ（１４３）とを有し、該側壁（１４２）は、該プリント基板（１２）及びベース（１１）の一端にリング状で外嵌され、各導電性チューブ（１４３）は、該プリント基板（１２）の導電性端部（１２１）に外嵌される。
【００１９】
図３、４に示すように、本考案の実施例の発光ダイオードライトバーの照明モジュールは、
反射空間（２１１）が凹設される白反射面（２１）と、該白反射面（２１）の両端にそれぞれ設置されるとともに該反射空間（２１１）に接続される二つの支持台（２２）と、該二つの支持台（２２）の該反射空間（２１１）に接続される面にそれぞれ設置される二つの端子台（２３）と、を備える照明台座（２）と、
該白反射面（２１）の反射空間（２１１）内に設置されるベース（１１）と、該ベース（１１）の該白反射面（２１）に臨む面に平行に設置されるとともに両端に二つの導電性端部（１２１）がそれぞれ突設されるプリント基板（１２）と、該プリント基板（１２）の該白反射面（２１）に臨む面に溶接されるとともに該プリント基板（１２）に電気的に接続される少なくとも一つの発光ダイオード（１３）と、一端が該プリント基板（１２）及びベース（１１）の両端に設置され該導電性端部（１２１）と電気的接続を形成し、他端が該照明台座（２）の二つの端子台（２３）に回動可能に設置され電気的接続を形成する二つの端子（１４）と、を備え、両端が該二つの端子台（２３）に回動可能に設置されて電気的接続を形成する発光ダイオードライトバー（１）と、を備える。
【００２０】
上記構成において、各端子台（２３）は、
該二つの支持台（２２）の該反射空間（２１１）に接続される面に設置され、該反射空間（２１１）と接続される面において回動空間（図示せず）及び該回動空間と該回動空間の外部とを貫通する嵌め込み溝（２３１１）が凹設される固定素子（２３１）と、
該固定素子（２３１）の回動空間内に設置されるとともに、該回動空間内で回転でき、該反射空間（２１１）と接続される面において該固定素子（２３１）の嵌め込み溝（２３１１）と対向する転入溝（２３２１）が凹設される回動素子（２３２）と、をさらに備える。
【００２１】
また、該ベース（１１）は、アルミニウムの金属で構成する。なお、該ベース（１１）の該プリント基板（１２）に接続される面の両側には、該プリント基板（１２）を挿入して固定するために、二つのレール（１１１）が上方に向かって突設されている。また、該ベース（１１）の該プリント基板（１２）に接続される面には、さらに一層のアルミナ錯体を塗布してもよい。そして、該ベース（１１）の両端の近くには、複数のベースネジ穴（１１２）を貫設してもよい。また、該ベース（１１）に複数のベース放熱穴（１１３）を貫設してもよい。
【００２２】
さらに、該プリント基板（１２）の両端の近くには、該複数のベースネジ穴（１１２）に対する複数のプリント基板ネジ穴（１２２）が貫設されており、複数のネジ（１２３）を該複数のベースネジ穴（１１２）およびプリント基板ネジ穴（１２２）に貫通させることにより、該ベース（１１）とプリント基板（１２）とを固定する。そして、該プリント基板（１２）には、該発光ダイオード（１３）が発する高温を逃がすように、該複数のベース放熱穴（１１３）に対する複数のプリント基板放熱穴（１２４）を貫設してもよい。
【００２３】
なお、各端子（１４）は、さらに、該プリント基板（１２）及びベース（１１）の一端に当接する底壁（１４１）と、該底壁（１４１）の一面に突設される側壁（１４２）と、該底壁（１４１）の他面に貫設される二つの導電性チューブ（１４３）とを有し、該側壁（１４２）は、該プリント基板（１２）及びベース（１１）の一端にリング状で外嵌され、各導電性チューブ（１４３）は、該プリント基板（１２）の導電性端部（１２１）に外嵌されるとともに該回動素子（２３２）の転入溝（２３２１）に挿入される。
【００２４】
図３、図５〜図７に示すように、本考案に係る発光ダイオードライトバーの照明モジュールにおいて該発光ダイオードライトバー（１）を取り外す工程は、以下の通りである。
【００２５】
まず、該二つの端子（１４）は導電性チューブ（１４３）を介して該プリント基板（１２）の導電性端部（１２１）に外嵌されることによって、該プリント基板（１２）の両端に装着される。なお、該二つの端子（１４）は、さらに、その導電性チューブ（１２１）が該回動素子（２３２）の転入溝（２３２１）に挿入されることにより、該発光ダイオードライトバー（１）を該二つの端子台（２３）に設置する。そして、該端子台（２３）の回動素子（２３２）は該固定素子（２３１）の回動空間内で回転できる。上述したように、実用の場合、ユーザーは、該発光ダイオードライトバー（１）のベース（１１）を回動させ、該発光ダイオードライトバー（１）の端子（１４）の回動に伴い、該回動素子（２３２）の転入溝（２３２１）を回動させ、この転入溝（２３２１）を該固定素子（２３１）の嵌め込み溝（２３１１）と貫通できない状態にし、これにより、該発光ダイオードライトバー（１）が実用の時に該照明台座（２）から外れることが回避される。該発光ダイオードライトバー（１）が故障して保守及び交換が必要になると、ユーザーは該発光ダイオードライトバー（１）のベース（１１）を回動するだけでよく、このとき、該回動素子（２３２）は連動して該回動空間内において回転できる。該回動素子（２３２）の転入溝（２３２１）が該固定素子（２３１）の嵌め込み溝（２３１１）と貫通できるまでに回転すると、ユーザーは該発光ダイオードライトバー（１）の二つの端子（１４）を順番に該転入溝（２３２１）および嵌め込み溝（２３１１）に沿って取り出すことができ、該発光ダイオードライトバー（１）を該照明台座（２）から取り外す工程が完成する。上記工程によれば、発光ダイオードライトバーの照明モジュールの全体を取り外すことなく該発光ダイオードライトバー（１）の保守または交換を行うことができ、該発光ダイオードライトバー（１）を保守または交換する手順および時間が低減されるとともに、机械の原理に馴染まないユーザーに該発光ダイオードライトバーを簡単に保守または交換する手段を提供することができる。
【００２６】
そのため、上記の構成によれば、本考案は、該発光ダイオードライトバーが回動可能であるので、該発光ダイオードライトバーを簡単に取り外す手段が提供され、保守または交換の時に照明モジュール全体を取り外してから保守または交換の手順を行えなければならない周知の発光ダイオードの照明モジュールに比べると、本考案はその適用性が向上し、実用性および付加価値が大幅に上昇し、そのため、本考案は登録の要件を満たすはずである。
【００２７】
上記のものは、本考案の最良の実施例だけであり、本考案の実施の範囲を限定するものではない。そのため、本考案の請求の範囲および明細書の内容に対する簡単な等価の変更および装飾は、何れも本考案の請求の範囲内に含まれるべきである。
【符号の説明】
【００２８】
１・・・・・・発光ダイオードライトバー
２・・・・・・照明台座
１１・・・・・ベース
１２・・・・・プリント基板
１３・・・・・発光ダイオード
１４・・・・・端子
２１・・・・・白反射面
２２・・・・・支持台
２３・・・・・端子台
１１１・・・・レール
１１２・・・・ベースネジ穴
１１３・・・・ベース放熱穴
１２１・・・・導電性端部
１２２・・・・プリント基板ネジ穴
１２３・・・・ネジ
１２４・・・・プリント基板放熱穴
１４１・・・・底壁
１４２・・・・側壁
１４３・・・・導電性チューブ
２１１・・・・反射空間
２３１・・・・固定素子
２３２・・・・回動素子
２３１１・・・嵌め込み溝
２３２１・・・転入溝
【図１】
0003163752.tif 000003
【図２】
0003163752.tif 000004
【図３】
0003163752.tif 000005
【図４】
0003163752.tif 000006
【図５】
0003163752.tif 000007
【図６】
0003163752.tif 000008
【図７】
0003163752.tif 000009